(57)【特許請求の範囲】
【請求項１】
三角形状の多数の外殻パネルを並べてこれら外殻パネルの隣合う各辺を相互に接合した外殻を設け、かつ多数の床パネルを並設した１階床を設けたドーム状建物において、３本以上の柱で支えられる２階床を建物内に設け、前記各柱は、床パネルの角部間に突出するソケット部および床パネルの下面に配置される座板部を有する柱支持台に下端を設置したドーム状建物の建物内付属構造。
【請求項２】
前記２階床の床梁を、平面視で三角形状に枠組した請求項１記載のドーム状建物の建物内付属構造。
【請求項３】
前記２階床の床梁と１階床との間に可撓性のパーティションを設け、このパーティションは、上端に設けた梁接合片を前記２階床の床梁に面ファスナで接合し、かつ下端を１階床に面ファスナで接合した請求項２記載のドーム状建物の建物内付属構造。
【請求項４】
前記パーティションは、空気封入された縦方向の棒状材を平行に並べて連結したものであって、側端部に割り筒状のパーティションエンド材を有し、丸パイプ状とした柱に前記パーティションエンド材で面ファスナを介して接合される請求項３記載のドーム状建物の建物内付属構造。
【請求項５】
前記１階床と２階床との間に階段を設置し、その階段は各段毎に設けられる複数の階段コンポーネントからなるものとし、各階段コンポーネントは、下方に嵌合軸が突出して上下の階段コンポーネントと印籠結合されるパイプ状の単位階段柱と、この単位階段柱に一端が接合された蹴込み板と、この蹴込板の下縁に後縁が回動自在に連結された扇形の踏み板とを有するものとし、この踏み板の外側端前縁側には係合軸が上下方向に向けて設けてあり、前記蹴込み板の外側端には、上側の階段コンポーネントの踏み板の前記係合軸を嵌め込むパイプ状のソケットを上下に向けて設けた請求項１または請求項２記載のドーム状建物の建物内付属構造。
【請求項６】
キャスタを有するクロゼットを１階床上に配置し、このクロゼットに、前記柱と面ファスナで接合する柱接合部を設けた請求項１または請求項２記載のドーム状建物の建物内付属構造。
【請求項７】
前記クロゼットは内部に水回り設備を有するものである請求項６記載のドーム状建物の建物内付属構造。
【発明の詳細な説明】
【０００１】
【発明の属する技術分野】
この発明は、バンガロー，コテージ等のレジャー用建物や、店舗、イベント会場用建物、あるいはフラワードーム等に応用されるドーム状建物の建物内付属構造に関する。
【０００２】
【従来の技術】
コテージ、店舗、イベント会場、フラワードーム等の建物として、三角形状の面材部材を半球状に組み立てた殻構造のドーム状建物が構築されている。この種のドーム状建物は、その幾何学的外観が美麗なことから好まれている。
【０００３】
【発明が解決しようとする課題】
しかし、従来のこの種ドーム状建物において、建物内に設置する２階床，階段，パーティションなどの付属物は一般的な建物の場合と同様の構造であり、組立や撤去が容易でなかった。
【０００４】
この発明は、このような課題を解消するものであり、三角形状の外殻パネルで構成される簡素な構成のドーム状建物に調和した簡単な構成であって、組立や撤去も簡単に行えるドーム状建物の建物内付属構造を提供することを目的とする。
【０００５】
【課題を解決するための手段】
この発明のドーム状建物の建物内付属構造は、三角形状の多数の外殻パネルを並べてこれら外殻パネルの隣合う各辺を相互に接合した外殻を設け、かつ多数の床パネルを並設した１階床を設けたドーム状建物において、複数本の柱で支えられる２階床を建物内に設け、前記各柱は、床パネルの角部間に突出するソケット部および床パネルの下面に配置される座板部を有する柱支持台に下端を設置したものである。
この構成によると、１階床の床パネル間から突出する柱支持台のソケット部に柱の下端を差し込むことで、２階床を簡単に設置でき、その撤去も容易に行うことができる。２階床は、３本以上の柱で支持するものであるため、床梁で各柱を相互に剛接合しておくことで、柱の倒れの問題がなく、柱の下端は位置ずれを防止するだけで足りる。そのため、前記構成の柱支持台で十分に支持することができる。
【０００６】
前記構成において、２階床の床梁を、平面視で三角形状に枠組してもよい。この構成の場合、２階床を簡単かつ十分な強度に組立でき、撤去も容易に行うことができる。
【０００７】
請求項３の発明のドーム状建物の建物内付属構造は、前記構成において、前記２階床の床梁と１階床との間に可撓性のパーティションを設けたものである。このパーティションは、その上端に設けた梁接合片を前記２階床の床梁に面ファスナで接合し、かつ下端を１階床に面ファスナで接合する。
この構成によると、面ファスナによる接合作業で建物内を複数空間に仕切るパーティションを簡単に取付けられ、また撤去も簡単に行うことができる。
【０００８】
前記構成において、前記パーティションは、空気封入された縦方向の棒状材を平行に並べて連結したものであって、側端部に割り筒状のパーティションエンド材を有し、丸パイプ状とした柱に前記パーティションエンド材で面ファスナを介して接合されるようにしたものであってもよい。この構成の場合は、パーティション側端部の固定を簡単に行えるので、その組立および撤去を一層容易に行うことができる。また、パーティションは空気封入された棒状材を平行に並べて連結したものであるため軽量であり、搬入・搬出も容易となる。
【０００９】
請求項５の発明のドーム状建物の建物内付属構造は、前記構成において、前記１階床と２階床との間に階段を設置し、その階段は各段毎に設けられる複数の階段コンポーネントからなるものとする。各階段コンポーネントは、下方に嵌合軸が突出して上下の階段コンポーネントと印籠結合されるパイプ状の単位階段柱と、この単位階段柱に一端が接合された蹴込み板と、この蹴込板の下縁に後縁が回動自在に連結された扇形の踏み板とを有するものとする。また、この踏み板の外側端前縁側には係合軸が上下方向に向けて設けてあり、前記蹴込み板の外側端には、上側の階段コンポーネントの踏み板の前記係合軸を嵌め込むパイプ状のソケットを上下に向けて設ける。
この構成によると、１階床と２階床との間で、複数の階段コンポーネントを、それらの単位階段柱の相互を印籠結合して連結することにより、ドーム状建物内に階段を簡単に組立でき、撤去も容易に行うことができる。また、階段コンポーネントに分解して運搬および保管できるので、運搬性および保管性が良い。
【００１０】
請求項６の発明のドーム状建物の建物内付属構造は、前記構成において、キャスタを有するクロゼットを１階床上に配置し、このクロゼットに前記柱と面ファスナで接合する柱接合部を設けたものである。
この構成によると、クロゼットを１階床上の所望の位置に簡単に設置でき、撤去も容易に行うことができる。
【００１１】
クロゼットを設けた前記構成において、前記クロゼットは内部に水回り設備を有するものとしてもよい。この構成の場合、浴室，トイレット，キッチン等もクロゼットとして簡単に設置でき、撤去も簡単に行うことができる。
【００１２】
【発明の実施の形態】
この発明の一実施形態を図１ないし図２０と共に説明する。
図１（Ａ）〜（Ｃ）はこの実施形態に係る建物内付属構造を有するドーム状建物の水平断面図、縦断面図および上半部外観図である。このドーム状建物１は、三角形状の多数の外殻パネル２を半球状に並べて隣合う各辺を外殻パネル間継手３で相互に接合した殻構造のものである。各外殻パネル２は、内部に空気を封入することで所定厚さに膨らむ袋体としてある。また、隣合う外殻パネル２，２間は、図２（Ｂ）に示すように連通チューブ４で相互に連通させてある。連通チューブ４は外殻パネル２に着脱自在としてもよい。地面に近く配置される一つまたは複数の外殻パネル２には、給気チューブ５を介して給気ポンプ６を接続する。給気チューブ５も外殻パネル２に着脱可能とする。
【００１３】
前記外殻パネル２は、図２（Ｂ）のように袋体を構成する二重の膜部２ａ，２ａの間に、これら膜部２ａ，２ａの最大間隔を規制する引張糸７を密生状態に設けたものとする。また、袋体の片面または両面には、断熱材８を重ねて設ける。断熱材８としては、グラスウール，ポリエチレン樹脂，または発泡ポリスチレンや発泡ポリウレタン等の発泡樹脂等を使用する。外殻パネル間継手３は、外殻パネル２の外周の端面に設けた面ファスナ９で、隣合う外殻パネル２，２の相互を接合するようにしたものである。面ファスナ９，９の外殻パネル表面から突出する部分は、継手部キャップ１０で挟み込み状態に覆う。
【００１４】
図１（Ｃ）におけるＳ部を図２（Ａ）に拡大して示すように、５枚の外殻パネル２の隣合う各辺の接合は、これらの辺に設けた前記外殻パネル間継手３で行う。各外殻パネル２の角部が集まる箇所は、図２および図３に示すように外殻パネル角部間継手１１で相互に接合する。この外殻パネル角部間継手１１は、外殻パネル２に重なるキャップ本体１２と、このキャップ本体１２の中心に突設されて各外殻パネル２の角部先端間に嵌まり込む先端密封用ピン１３とからなる。キャップ本体１２の外殻パネル２が重なる面には、外殻パネル２を接合する面ファスナ９を設ける。また、この外殻パネル重なり面には、外殻パネル間継手３の面ファスナ突出部分を逃がす逃がし溝１４が放射状に形成してある。図１（Ｃ）におけるＳ１部のように６枚の外殻パネル１の角部が集まる箇所では、図４に示すように、キャップ本体１２の外殻パネル重なり面に６本の逃がし溝１４を放射状に形成したものを使用する。
【００１５】
また、連通チューブ４は、図５（Ｃ）に示すように外径面の両端の先細りのテーパ部４ａと、両端のテーパ部４ａ，４ａ間に形成した嵌合用円周溝４ｂとを有する。この連通チューブ４の取付けは、図５（Ａ），（Ｂ）に示すように、互いに接する両外殻パネル２，２の端面に弾性材料からなる接続口部材１５を設け、連通チューブ４の両端のテーパ部４ａを接続口部材１５の接続口１５ａから外殻パネル２内部に挿入し、連通チューブ４の嵌合用円周溝４ｂ内に両接続口部材１５，１５を重なり状態でかつ圧縮状態に挟み込むことにより行う。
【００１６】
図９は上述した外殻パネル間継手３に使用する面ファスナ９の各例を示したものである。図９（Ａ）の面ファスナ９は、ファスナ基材９ｃに半球形の頭部を有する無数の係合体９ａを設けたファスナ９Ａと、ファスナ基材９ｃにループ状の無数の係合体９ｂを植毛したファスナ９Ｂとの組み合わせからなる。図９（Ｂ）の面ファスナ９は、ファスナ基材９ｃにフック状の無数の係合体９ａを設けたファスナ９Ａと、ファスナ基材９ｃにループ状の無数の係合体９ｂを設けたファスナ９Ｂとの組み合わせからなる。図９（Ｃ）の面ファスナ９は、球形の頭部を有する無数の係合体９ａをファスナ基材９ｃに植毛した一組みのファスナ９Ａ，９Ｂからなる。面ファスナ９は、このように互いに係合する無数の係合体を有するものであれば良く、図９（Ａ），（Ｂ）の例のように２種類のものを組み合わせるものであっても、また図９（Ｃ）の例のように同じ種類のものを相互に接合するものであっても良い。
【００１７】
図１のように、このドーム状建物の床面には、内部に空気を封入することで膨らむ三角形状の多数のエアマット状床パネル１６を並設した１階床１７を設ける。これら各床パネル１６は、内部を空気を封入することで所定厚さに膨らむ袋体としてあり、外殻パネル２と同様に引張糸７が設けてある。各床パネル１６の各辺にも、図８に示すように床パネル１６を相互に接合する床パネル間継手３Ａの継手構成材である面ファスナ９が設けてあり、これにより図１（Ａ）に示すように前記外殻パネル２で囲まれた底部円内に納まる連続した一枚の床面材として相互に接合する。各床パネル１６は、図８に示すように連通チューブ４で相互に連通させてあり、また、外殻パネル２と最外周に位置する床パネル１６との間も連通チューブ４Ａで相互に連通させてある。この場合の連通チューブ４Ａは、先の連通チューブ４を嵌合用円周溝４ｂの部分で二分割したものであり、これらを可撓性チューブ５０で相互に連結する。これにより、図１のように給気ポンプ６から外殻パネル２に給気を行うときに、各床パネル１６への給気も同時に行える。なお、最下段の外殻パネル２は、図８のように地面に打ち込んだアンカーボルト２２に接続することにより、地面に固定する。
【００１８】
また、床パネル１６の上面には、面ファスナ９によって床仕上げ面材１８を接合する。この仕上げ面材１８は、例えば図６のように正六角形または正六角形を二分割した台形のタイルからなり、これらの組み合わせによって、モザイク状の模様を有する床仕上げ面を構成する。さらに、１階床１７の一箇所または複数箇所、例えば図６のように複数の床パネル１６の角部が集中して接合される箇所や、床パネル１６が隣接する箇所には柱支持台１９を設置する。この柱支持台１９は、図７に示すように床パネル１６の下面に配置される円板状の座板部２０と、この座板部２０の中央に突設されて床パネル１６の角部間に突出する丸パイプ状のソケット部２１とからなり、そのソケット部２１の外周面には面ファスナ９が設けてある。ソケット部２１は床パネル１６の上面と同一平面となるようにしてもよい。この実施形態では、図７のように丸パイプ状とした支柱２３を前記柱支持台１９のソケット部２１に差し込んで設置し、このようにして設置した複数本の柱２３によりドーム状建物内の一部領域に２階床２４を支持して設置する。これにより、２階床２４を建物内に容易に設置でき、撤去も簡単に行うことができる。また、螺旋階段２５も、その単位階段柱３０を前記柱支持台１９のソケット部２１に差し込んで立設することにより、１階床１７と２階床２４との間に設置する。
【００１９】
２階床２４の骨組みは、図１０（Ｄ）に平面構造を示すように、床大梁２８および床小梁２９を三角形状に枠組して構成する。これにより、２階床２４を簡単な構成で十分な強度に組立てられ、撤去も一層容易に行うことができる。なお請求項２で言う「床梁」は、この実施形態では床大梁２８のことである。床大梁２８は、丸パイプを枠組してなる枠部２８ａの内側にウェブとなる板部２８ｂを有する横長のものである。図１０（Ａ），（Ｂ）および図１１に平面図，正面図および斜視図で示すように、床大梁２８の端部に突設した上下に延びる係合突条２８ｃを、支柱２３の上端部に形成した軸方向に延びる係合スリット２３ａに係合させることにより、一対の支柱２３，２３間に床大梁２８を架け渡す。床小梁２９も、図１０（Ｃ）に縦断面図で示すように、丸パイプを組み合わせてなる枠部２９ａの内側にウェブとなる板部２９ｂを有する横長のものであり、その端部を床大梁２８の下部に接合する。床大梁２８で囲まれる三角形の空間には、図１０（Ｃ）のように１階床１７と同様の床パネル１６を配置して床小梁２９で支持する。床パネル１６と床大梁２８とは面ファスナ９により接合する。床パネル１６の上面も、１階床１７の場合と同様に床仕上げ面材１８を配置し、この床仕上げ面材１８と床パネル１６とを面ファスナ９を介して接合する。
【００２０】
螺旋階段２５は、図１７に示すように各段を構成する複数の階段コンポーネント２６からなる。各階段コンポーネント２６は、下方に嵌合軸３０ｂが突出して上下の階段コンポーネント２６と印籠結合される丸パイプ状の単位階段柱３０と、この単位階段柱３０に一端が接合された蹴込み板３１と、この蹴込み板３１の下縁にヒンジ３３を介して後縁を連結することにより、蹴込み板３１の下端を中心にして回動自在とした扇形の踏み板３２とを有する。単位階段柱３０のパイプ部３０ａは、先述した柱支持台１９のソケット部２１と同径のパイプからなり、下方の嵌合軸３０ｂは、他の単位階段柱３０のパイプ部３０ａおよび前記ソケット部２１に嵌合可能な外径を有する。また、踏み板３２の外側端前縁側には、丸パイプからなる係合軸３４が上下方向に向けて設けてあり、蹴込み板３１の外側端には、上側の階段コンポーネント２６の踏み板３２の係合軸３４を嵌め込むパイプ状のソケット３５が上下に向けて設けてある。
【００２１】
螺旋階段２５の組立は次の手順で行う。先ず最下段の階段コンポーネント２６の単位階段柱３０の嵌合軸３０ａを１階床１７の柱支持台１９のソケット部２１に差し込む。踏み板３２は、昇降時の旋回方向によって、図１７（Ａ）のように右回りに回動させて水平姿勢にするか、鎖線で示すように左回りに回動させて水平姿勢にするかを選択する。次に、その単位階段柱３０のパイプ部３０ａに、上段の階段コンポーネント２６の単位階段柱３０の嵌合軸３０ｂを差し込んで印籠結合する。上端の階段コンポーネント２６の踏み板３２の係合軸３４は、下段の階段コンポーネント２６の蹴込み板３１のソケット３５に差し込む。これにより、上段の踏み板３２が下段の踏み板３２の同じ向きの水平姿勢となって固定される。このような組立を２階床２４まで行うことにより、螺旋階段２５を構築できる。各踏み板３２の係合軸３４には、手摺支柱３６の下部の嵌合軸３６ａを差し込んで手摺支柱３６を立設し、各手摺支柱３６の上端間に手摺ロープ３７を張り渡す。このような手順によるので、螺旋階段２５をドーム状建物１内に簡単に組立でき、撤去も容易に行うことができる。
【００２２】
１階床１７と２階床２４との間には、図１（Ａ），（Ｂ）に示すように建物内空間を仕切るパーティション３８を設ける。このパーティション３８は、図１２に示すように空気封入された縦方向の棒状材３９を複数本、平行に並べて連結した可撓性を有するものである。このため、軽量であり、搬入・搬出が容易となる。棒状材３９の相互の連結は、図１５（Ｂ）に示すように各棒状材３９の外周面に突設した縦方向に延びる面ファスナ９を相互に接合して行う。また、各棒状材３９の下端も面ファスナ９を介して１階床１７に接合する。すなわち、図１５（Ａ）に示すように、各棒状材３９の下端に面ファスナ９を設けると共に、これに対応する１階床１７の床仕上げ面材１８上には、接着剤４０により面ファスナ９を貼付け、これら面ファスナ９，９を相互に接合させることにより、棒状材３９を１階床１７に接合する。
【００２３】
棒状材３９の幾つかには、その上端に面ファスナ９を有する梁接合片５１が設けてあり、この梁接合片５１の面ファスナ９で図１３（Ａ），（Ｂ）のように２階床２４の床大梁２８や床小梁２９の枠部２８ａ，２９ａの下側パイプに接合させることにより、パーティション３８の上端を２階床２４に接合する。すなわち、床大梁２８や床小梁２９の枠部２８ａ，２９ａの下側パイプには、梁接合片５１を有する棒状材３９の上端に対応する位置に図１４（Ａ）のように接着剤４０で別の面ファスナ９を接着し、これらの面ファスナ９を図１４（Ｂ）のように相互に接合させることでパーティション３８の上端を２階床２４に接合する。
【００２４】
パーティション３８を構成する棒状材３９のうち、側端に位置する棒状材３９には、面ファスナ９を有し上下方向に延びる割り筒状のパーティションエンド材４１を面ファスナ９を介して設け、このパーティションエンド材４１を図１３（Ａ）および図１５（Ｃ）のように面ファスナ９を介して支柱２３に接合させることにより、パーティション３８の両側端部を柱２３に接合する。これにより、パーティション３８側端部の固定を簡単に行えるので、その組立および撤去を一層容易に行うことができる。
【００２５】
このように構成したパーティション３８は可撓性を有するので一対の柱２３，２３間に渡って、例えば図１６（Ａ）に平面視で示すような任意の曲線となるように簡単に構成できる。この場合、そのパーティション３８の曲線が交差する２階床２４の床大梁２８や床小梁２９に棒状材３９の上端を接合する。なお、１本の支柱２３に対して１つのパーティション３８を接合する場合に限らず、図１６（Ｂ）のように１本の柱２３に４つのパーティション３８を接合して、その支柱２３を中心とした建物内空間を４つに区分したり、図１６（Ｃ）のように支柱２３に３つのパーティション３８を接合して建物内空間を３区分してもよい。
【００２６】
また、１階床１７上には、各種用途のクロゼット４２Ａ〜４２Ｃを設置する。クロゼット４２Ａは衣服収納用であり、その各角部には図１８に示すように支柱２３と面ファスナ９で接合する柱接合部４２ａを有する。この柱接合部４２ａは、柱２３の外径に倣う凹面に面ファスナ９を設けたものであり、この面ファスナ９を支柱２３に設けた面ファスナ９と相互に接合させることにより、クロゼット４２Ａを柱２３に固定する。クロゼット４２Ａの底部にはキャスタ４３が取付けてあり、これにより１階床１７上での移動を円滑に行うことができる。クロゼット４２Ａ〜４２Ｃをこのように構成することにより、１階床１７上の所望の位置に簡単に設置でき、撤去も容易に行うことができる。図１（Ａ）では鎖線によりクロゼット４２Ａの配置を変更した例を示している。この場合、同じ支柱２３に対して別の柱接合部４２ａを接合することにより、配置を容易に変更できる。
クロゼット４２Ｂは浴室用であり、内部に水回り設備を有する。クロゼット４２Ｃは書棚用である。これらのクロゼット４２Ｂ，４２Ｃの場合も、角部に柱接合部４２ａを有し、底部にキャスタ４３を有する。
【００２７】
図１９は、図１のドーム状建物の組立方法およびその後の増築例を示す。まず、床パネル１６の接合された床１７を地盤上の構築位置に広げ（同図（Ａ））、これに柱支持用の柱支持台１９を必要箇所に設置する。ついで、外壁および天井となる外殻パネル２を順次接合する（同図（Ｂ））。この接合が終わると、給気ポンプ６で外殻パネル２および床パネル１６への空気封入を行い（同図（Ｃ），（Ｄ））、これによりドーム状建物の外殻および床が完成する（同図（Ｅ））。この後、建物内に２階の床２４を設置し（同図（Ｆ），（Ｇ））、パーティション３８やクローゼット４２Ａ〜４２Ｃ等の建具を組付け（同図（Ｈ），（Ｉ））、建物全体が完成する（同図（Ｊ））。このように建物が完成した後、増築する場合は、建物の一部の外殻パネル２を取り外し、外殻パネル２の追加および組み替えや、床パネル１６の追加を行う（同図（Ｋ））。図２０は、その増築後の状態を示す。
【００２８】
【発明の効果】
この発明のドーム状建物の建物内付属構造は、三角形状の多数の外殻パネルを並べてこれら外殻パネルの隣合う各辺を相互に接合した外殻を設け、かつ多数の床パネルを並設した１階床を設けたドーム状建物において、３本以上の柱で支えられる２階床を建物内に設け、前記各柱は、床パネルの角部間に突出するソケット部および床パネルの下面に配置される座板部を有する柱支持台に下端を設置したため、ドーム状建物内に２階床を簡単に設置でき、撤去も容易に行うことができる。
請求項２の発明のドーム状建物の建物内付属構造は、前記２階床の床梁を、平面視で三角形状に枠組したため、２階床を簡単かつ十分な強度に組立でき、撤去も容易に行うことができる。
請求項３の発明のドーム状建物の建物内付属構造は、前記２階床の床梁と１階床との間に可撓性のパーティションを設け、このパーティションは、上端に設けた梁接合片を前記２階床の床梁に面ファスナで接合し、かつ下端を１階床に面ファスナで接合したため、面ファスナによる接合作業でパーティションを簡単に設置でき、また撤去も簡単に行うことができる。
請求項４の発明のドーム状建物の建物内付属構造は、前記パーティションを、空気封入された縦方向の棒状材を平行に並べて連結したものとし、側端部に割り筒状のパーティションエンド材を設け、丸パイプ状とした柱に前記パーティションエンド材で面ファスナを介して接合するようにしたため、パーティション側端部の固定を簡単に行え、その組立および撤去を一層容易に行うことができる。また、パーティションは空気封入された棒状材を平行に並べて連結したものであるため軽量であり、搬入・搬出も容易となる。
【００２９】
請求項５の発明のドーム状建物の建物内付属構造は、前記１階床と２階床との間に階段を設置し、その階段を各段毎に設けられる複数の階段コンポーネントで構成し、各階段コンポーネントを、下方に嵌合軸が突出して上下の階段コンポーネントと印籠結合されるパイプ状の単位階段柱と、この単位階段柱に内側端が接合された蹴込み板と、この蹴込板の下端に後縁が回動自在に連結された扇形の踏み板とで構成し、この踏み板の外側端前縁側には係合軸が上下方向に向けて設けてあり、前記蹴込み板の外側端には、上側の階段コンポーネントの踏み板の前記係合軸を嵌め込むパイプ状のソケットを上下に向けて設けたため、ドーム状建物内に階段を簡単に組立でき、撤去も容易に行うことができる。
請求項６の発明のドーム状建物の建物内付属構造は、前記ドーム状建物において、キャスタを有するクロゼットを１階床上に配置し、このクロゼットに前記柱と面ファスナで接合する柱接合部を設けたため、クロゼットを１階床上の所望の位置に簡単に設置でき、撤去も容易に行うことができる。
請求項７の発明のドーム状建物の建物内付属構造は、前記クロゼットの内部に水回り設備を設けたため、風呂場，トイレット，キッチン等もクロゼットとして簡単に設置でき、撤去も簡単に行うことができる。
【図面の簡単な説明】
【図１】（Ａ）はこの発明の一実施形態に係る建物内付属構造を有するドーム状建物の水平断面図、（Ｂ）は同建物の縦断面図、（Ｃ）は同建物の上半部外観斜視図である。
【図２】（Ａ）は図１（Ｃ）のＳ部の拡大図、（Ｂ）は図２（Ａ）のII−II矢視断面図である。
【図３】（Ａ）は同Ｓ部における外殻パネル角部間継手の分解斜視図、（Ｂ）は同継手を構成する角部キャップの裏面図、（Ｃ）は同角部キャップの斜視図である。
【図４】図１（Ｃ）のＳ１部に使用する同外殻パネル角部間継手の裏面図である。
【図５】（Ａ）は挿通チューブの取付け前の状態を示す分解断面図、（Ｂ）は同挿通チューブの取付け状態を示す断面図、（Ｃ）は同挿通チューブの斜視図である。
【図６】前記ドーム状建物における床の部分拡大図である。
【図７】（Ａ）は同床における床パネルの角部集中箇所を示す斜視図、（Ｂ）は同縦断面図である。
【図８】同床構造を示す縦断面図である。
【図９】前記ドーム状建物に使用する面ファスナの各例を示す側面図である。
【図１０】（Ａ）は２階床における柱接合部の水平断面図、（Ｂ）は同正面図、（Ｃ）は同２階床における床大梁と床小梁との接合構造を示す縦断面図、（Ｄ）は同２階床の梁構造を示す平面図である。
【図１１】２階床における柱接合部の斜視図である。
【図１２】パーティションの概略構造を示す斜視図である。
【図１３】（Ａ）は同パーティションの２階床への接合構造を示す正面図、（Ｂ）は同縦断面図、（Ｃ）は同水平断面図である。
【図１４】（Ａ）は棒状材の床梁への接合構造を示す分解図、（Ｂ）は同接合構造の分解斜視図である。
【図１５】（Ａ）は同棒状材の１階床への接合構造を示す分解図、（Ｂ）は同棒状材相互の接合構造を示す水平断面図、（Ｃ）はパーティションと柱との接合構造を示す水平断面図である。
【図１６】（Ａ）は前記パーティションと２階床の床梁との関係を示す平面図、（Ｂ）は柱へ４つパーティションを接合した例を示す平面図、（Ｃ）は柱へ３つのパーティションを接合した例を示す平面図である。
【図１７】（Ａ）は螺旋階段の組立状態を示す部分斜視図、（Ｂ）は同螺旋階段を構成する階段コンポーネントの斜視図、（Ｃ）は（Ａ）のＤ部を拡大して示す縦断面図である。
【図１８】（Ａ）は衣服収納用クロゼットの斜視図、（Ｂ）は同クロゼットの柱への接合構造を示す分解斜視図である。
【図１９】ドーム状建物の組立および増築過程の説明図である。
【図２０】（Ａ）はドーム状建物の増築例を示す外観斜視図、（Ｂ）はその断面図、（Ｃ）はその１階部分および２階部分の平面図である。
【符号の説明】
１…ドーム状建物、２…外殻パネル、１６…床パネル、１７…１階床、１９…柱支持台、２０…座板部、２１…ソケット部、２３…柱、２４…２階床、２５…螺旋階段、２６…階段コンポーネント、２８…床大梁、２９…床小梁、３０…単位階段柱、３０ｂ…嵌合軸、３１…蹴込み板、３２…踏み板、３３…ヒンジ、３８…パーティション、３９…棒状材、４１…パーティションエンド材、４２Ａ〜４２Ｃ…クロゼット、４２ａ…柱接合部、４３…キャスタ、５１…梁接合片
【図１】
0003761651.tif 000002
【図２】
0003761651.tif 000003
【図３】
0003761651.tif 000004
【図４】
0003761651.tif 000005
【図５】
0003761651.tif 000006
【図６】
0003761651.tif 000007
【図７】
0003761651.tif 000008
【図８】
0003761651.tif 000009
【図９】
0003761651.tif 000010
【図１０】
0003761651.tif 000011
【図１１】
0003761651.tif 000012
【図１２】
0003761651.tif 000013
【図１３】
0003761651.tif 000014
【図１４】
0003761651.tif 000015
【図１５】
0003761651.tif 000016
【図１６】
0003761651.tif 000017
【図１７】
0003761651.tif 000018
【図１８】
0003761651.tif 000019
【図１９】
0003761651.tif 000020
【図２０】
0003761651.tif 000021